(57)【特許請求の範囲】
【請求項１】
隔壁を介して互いに隣接する２つの部屋を暖房する暖房装置であって、
前記隔壁を貫通して一側半部が一方の部屋内に突出し、他側半部が他方の部屋内に突出する筐体を備え、
一方の部屋内に突出する筐体の一側半部が一方の部屋の暖房を行なう第１暖房部とされていると共に、他方の部屋内に突出する筐体の他側半部が他方の部屋の暖房を行なう第２暖房部とされており、
前記第１暖房部は、一方の部屋内において筐体の下側から一方の部屋の空気が吸い込まれる第１吸込み口と、筐体の高さ寸法を小とすべく平坦に形成されて該第１吸込み口の内側で隔壁に対して略水平に設けられ、該第１吸込み口から吸い込まれた空気を加熱する第１加熱手段と、該第１加熱手段により加熱された空気が筐体の前側から吹き出される第１吹出し口とを備え、
前記第２暖房部は、他方の部屋内において筐体の下側から他方の部屋の空気が吸い込まれる第２吸込み口と、筐体の高さ寸法を小とすべく平坦に形成されて該第２吸込み口の内側で隔壁に対して略水平に設けられ、該第２吸込み口から吸い込まれた空気を加熱する第２加熱手段と、該第２加熱手段により加熱された空気が筐体の前側から吹き出される第２吹出し口とを備え、
前記第１暖房部と前記第２暖房部との間に、前記第１吸込み口及び前記第２吸込み口を介して吸い込んだ空気を、前記第１吹出し口及び前記第２吹出し口を介して強制的に送出するファンを備え、
第１暖房部と第２暖房部とは、前記隔壁を介して互いに略平衡を保つ重量に構成されていることを特徴とする暖房装置。
【請求項２】
前記第１吹出し口を開放自在に閉塞する第１閉塞手段と、前記第２吹出し口を開放自在に閉塞する第２閉塞手段とを備えることを特徴とする請求項１記載の暖房装置。
【発明の詳細な説明】
【０００１】
【発明の属する技術分野】
本発明は、隔壁を介して互いに隣接する２つの部屋を暖房する暖房装置に関し、例えば、浴室と脱衣室とを同時に暖房する場合等に好適な暖房装置に関する。
【０００２】
【従来の技術】
従来、浴室と脱衣室との暖房を行なう機能を有する暖房装置として、例えば、特開平９−２６４５５０号公報に見られるものが知られている。この暖房装置は、浴室の天井の上部に設置されて浴室の空気を循環しつつ加熱する浴室用循環路と、該浴室用循環路の上部に一体的に設けられて脱衣室の空気を循環しつつ加熱する脱衣室用循環路とを備えている。浴室用循環路には、浴室の天井に開口形成された吸込み口から吹出し口へ空気を強制的に循環させる浴室用循環ファンと、浴室からの空気を加熱する浴室用熱交換器とが設けられている。脱衣室用循環路は、吸気用延長ダクトと給気用延長ダクトとを備え、吸気用延長ダクトは脱衣室の天井に開口形成された吸込み口に、給気用延長ダクトは脱衣室の天井に開口形成された吹出し口に夫々接続されている。そして、該脱衣室用循環路には、空気を強制的に循環させる脱衣室用循環ファンと、脱衣室からの空気を加熱する脱衣室用熱交換器とが設けられている。これにより、浴室だけでなく脱衣室においても暖房を行なうことができ、浴室用循環路と脱衣室用循環とを一体的に浴室の天井の上部に設置することにより比較的コンパクトに構成されている。
【０００３】
しかし、上記従来の暖房装置においては、前記脱衣室用循環路を脱衣室の天井に開口形成された吸込み口及び吹出し口に接続するために、浴室の天井の上部から脱衣室の天井の上部に渡って吸気用延長ダクト及び給気用延長ダクトを設けなければならず、両延長ダクトの配設工事が煩わしいだけでなく、暖房装置を既存の浴室及び脱衣室に後付け設置することが困難である不都合がある。また、浴室の天井の上部に浴室用循環路と脱衣室用循環路とを設けるための設置空間が必要とされ、該設置空間が確保できないと暖房装置を設けることができない不都合がある。
【０００４】
【発明が解決しようとする課題】
かかる不都合を解消して、本発明は、天井の上部に設置空間を確保することなく設置することが可能であり、設置工事が比較的容易に行なえると共に後付けによる設置が容易に行なえる暖房装置を提供することを目的とする。
【０００５】
【課題を解決するための手段】
かかる目的を達成するために、本発明は、隔壁を介して互いに隣接する２つの部屋を暖房する暖房装置であって、前記隔壁を貫通して一側半部が一方の部屋内に突出し、他側半部が他方の部屋内に突出する筐体を備え、一方の部屋内に突出する筐体の一側半部が一方の部屋の暖房を行なう第１暖房部とされていると共に、他方の部屋内に突出する筐体の他側半部が他方の部屋の暖房を行なう第２暖房部とされており、前記第１暖房部は、一方の部屋内において、筐体の下側から一方の部屋の空気が吸い込まれる第１吸込み口と、筐体の高さ寸法を小とすべく平坦に形成されて該第１吸込み口の内側で隔壁に対して略水平に設けられ、該第１吸込み口から吸い込まれた空気を加熱する第１加熱手段と、該第１加熱手段により加熱された空気が筐体の前側から吹き出される第１吹出し口とを備え、前記第２暖房部は、他方の部屋内において、筐体の下側から他方の部屋の空気が吸い込まれる第２吸込み口と、筐体の高さ寸法を小とすべく平坦に形成されて該第２吸込み口の内側で隔壁に対して略水平に設けられ、該第２吸込み口から吸い込まれた空気を加熱する第２加熱手段と、該第２加熱手段により加熱された空気が筐体の前側から吹き出される第２吹出し口とを備え、前記第１暖房部と前記第２暖房部との間に、前記第１吸込み口及び前記第２吸込み口を介して吸い込んだ空気を、前記第１吹出し口及び前記第２吹出し口を介して強制的に送出するファンを備え、第１暖房部と第２暖房部とは、前記隔壁を介して互いに略平衡を保つ重量に構成されていることを特徴とする。
【０００６】
本発明の暖房装置によれば、２つの部屋の間にある前記隔壁を貫通して設けるので、２つの部屋の天井の上部に空間がなくても設置することができる。また、前記隔壁を貫通させるだけで設置することができるので、設置工事が容易であると共に、後付けによる設置を容易とすることができる。しかも、一方の部屋の暖房を行なう第１暖房部と、他方の部屋の暖房を行なう第２暖房部とを一体に構成したことにより、例えば従来のような一方の部屋の天井の上部から他方の部屋の天井の上部に渡って複数の延長ダクトを設けるといったことが不要であり、設置工事を極めて容易とすることができる。
【０００７】
また、前記第１暖房部と前記第２暖房部とは、前記隔壁を介して互いに略平衡を保つ重量に構成されているので、前記隔壁を貫通させた状態で第１暖房部と第２暖房部とをバランスよく設置することができ、設置状態の安定性を向上させることができる。
【００１１】
そして、前記第１暖房部と前記第２暖房部とは、夫々の吸込み口、吹出し口、及び加熱手段といった主要部分が同じ様に構成されているので、前記第１暖房部と前記第２暖房部との重量の平衡を容易に得ることができる。それだけでなく、前記第１暖房部に第１加熱手段を設け、前記第２暖房部に第２加熱手段を設けたことによって、加熱手段の重量を分散して前記第１暖房部と前記第２暖房部とのバランスを阻害することなく両加熱手段の形状の小型化を可能とすることができ、暖房装置をコンパクトに構成することができる。
【００１２】
また、本発明において、前記第１吹出し口を開放自在に閉塞する第１閉塞手段と、前記第２吹出し口を開放自在に閉塞する第２閉塞手段とを備えることが好ましい。これによって、暖房が不要な部屋の吹出し口を閉塞手段により閉塞して、２つの部屋の何れか一方のみの暖房を行うことができる。
【００１３】
【発明の実施の形態】
本発明の一実施形態を図面に基づいて説明する。図１は本実施形態の暖房装置を示す説明的縦断面図、図２は他の実施形態の暖房装置を示す説明的縦断面図である。
【００１４】
本実施形態の暖房装置１は、図１に示すように、隔壁Ａを介して互いに隣接する浴室Ｂ（一方の部屋）と脱衣室Ｃ（他方の部屋）とを暖房するものであり、該隔壁Ａを貫通させることによって設けられた略直方体形状の筐体２を備えている。
【００１５】
該筐体２の一側半部は浴室Ｂ内に突出し、他側半部は脱衣室Ｃ内に突出する。浴室Ｂ内に突出する筐体２の一側半部は浴室Ｂを暖房する浴室暖房部３（第１暖房部）とされ、脱衣室Ｃ内に突出する筐体２の他側半部は脱衣室Ｃを暖房する脱衣室暖房部４（第２暖房部）とされている。
【００１６】
前記浴室暖房部３は、筐体２の下側部に形成されて浴室Ｂ内の空気を吸い込むための浴室側吸込み口５（第１吸込み口）と、筐体２の前側部に形成されて浴室Ｂ内に温風を吹き出すための浴室側吹出し口６（第１吹出し口）とを備えている。浴室側吸込み口５は筐体２内部に形成された浴室側吸気路７の入り口とされ、浴室側吹出し口６は筐体２内部に形成された浴室側給気路８の出口とされる。浴室側吸込み口５近傍の浴室側吸気路７には、フィルター９と、浴室側吸込み口５から取り入れられた空気を加熱するための浴室側熱交換器１０（第１加熱手段）とが設けられている。浴室側熱交換器１０は、図示しない熱源機から供給される熱湯を熱媒として空気を加熱する。浴室側吹出し口６には浴室側ルーバー１１（第１閉塞手段）が設けられており、該浴室側ルーバー１１の傾斜によって風向きを変えることができると共に、該浴室側ルーバー１１を閉じることにより浴室への温風の吹き出しを規制することができる。
【００１７】
また、前記脱衣室暖房部４は、浴室暖房部３と同様に構成されている。即ち、筐体２の下側部に形成されて脱衣室Ｃ内の空気を吸い込むための脱衣側吸込み口１２（第２吸込み口）と、筐体２の前側部に形成されて浴室Ｂ内に温風を吹き出すための脱衣室側吹出し口１３（第２吹出し口）とを備え、脱衣室側吸込み口１２は筐体２内部の脱衣室側吸気路１４に連なると共に、脱衣室側吹出し口１３は筐体２内部の脱衣室側給気路１５に連なっている。脱衣室側吸込み口１２近傍の脱衣室側吸気路１４には、フィルター１６と、脱衣室側吸込み口１２から取り入れられた空気を加熱するための脱衣室側熱交換器１７（第２加熱手段）とが設けられている。脱衣室側熱交換器１７は、前記浴室側熱交換器１０と同一形状に形成されており、該浴室側熱交換器１０と接続パイプ１８を介して接続されている。そして、該接続パイプ１８を介して図示しない熱源機から供給される熱湯を熱媒として空気を加熱する。脱衣室側吹出し口１３には脱衣室側ルーバー１９（第２閉塞手段）が設けられており、該脱衣室側ルーバー１９の傾斜によって風向きを変えることができると共に、該脱衣室側ルーバー１９を閉じることにより脱衣室への温風の吹き出しを規制することができる。
【００１８】
更に、隔壁Ａに対応する浴室暖房部３と脱衣室暖房部４との境界位置には、ファン２０と該ファン２０を駆動するファン用モータ２１とが設けられている。該ファン２０は、浴室側吸気路７と浴室側給気路８との間であって、且つ、脱衣室側吸気路１４と脱衣室側給気路１５との間に設けられた連通部２２に設けられている。ファン用モータ２１によってファン２０が回転駆動されると、浴室側吸込み口５及び脱衣室側吸込み口１２から空気が取り入れられ、浴室側熱交換器１０及び脱衣室側熱交換器１７によって加熱された空気が浴室側吹出し口６及び脱衣室側吹出し口１３から吹き出される。そして、脱衣室Ｃの暖房が不要なときには、前記脱衣室側ルーバー１９により脱衣室側吹出し口１３を閉塞すれば、浴室Ｂのみを暖房することができ、浴室Ｂの暖房が不要なときには、前記浴室側ルーバー１１により浴室側吹出し口６を閉塞すれば、脱衣室Ｃのみを暖房することができる。なお、ファン用モータ２１の作動と浴室側熱交換器１０及び脱衣室側熱交換器１７への給湯とは、筐体２の所定位置に収容された図示しないコントローラによって制御され、使用者は該コントローラに接続された図示しないリモコンを介して外部から暖房運転の操作ができるようになっている。
【００１９】
このように、浴室暖房部３の各部と脱衣室暖房部４の各部とは互いに同一部品によって隔壁Ａを介して対称となるように構成されていると共に、ファン２０及びファン用モータ２１は隔壁Ａに対応する浴室暖房部３と脱衣室暖房部４との境界位置に設けられていることで、浴室暖房部３と脱衣室暖房部４とは隔壁Ａを介して略平衡を保つ重量とされている。これにより、隔壁Ａへの取り付け状態において高い安定性を得ることができる。
【００２０】
そして、本実施形態の暖房装置１を浴室Ｂと脱衣室Ｃとの間に設置するときには、先ず、隔壁Ａに貫通穴ａを形成し、該貫通穴ａに暖房装置１を差し込むようにして取り付け、筐体２の中央部を隔壁Ａに一致させる。
【００２１】
次いで、図示しない固定金具等により筐体２を隔壁Ａに連結固定する。本実施形態の暖房装置１は、前述したように、浴室暖房部３と脱衣室暖房部４とが隔壁Ａを介して略平衡を保つ重量とされているので、隔壁Ａへの設置した状態での傾き等が防止され、安定性の高い状態で隔壁に取り付けられる。
【００２２】
その後、前記接続パイプ１８に図示しない熱源機からの配管を接続する。そして、図示しないが、前記ファン用モータ２１やコントローラ等の電気部品に給電するための給電コードを脱衣室のコンセントに接続する。更に、必要に応じて図示しない前記リモコンを浴室Ｂ及び脱衣室Ｃに取り付ける。
【００２３】
このように、本実施形態の暖房装置１によれば、隔壁Ａに貫通穴ａを形成するだけで浴室Ｂと脱衣室Ｃとに設置することができ、しかも、従来のような延長ダクトの配設工事や天井の上部への設置作業が不要であるので、設置工事が極めて簡単であるだけでなく後付けによる設置も極めて容易に行なえる。
【００２４】
また、本実施形態においては、浴室側熱交換器１０と脱衣室側熱交換器１７とが共に比較的平坦な形状であるので、隔壁Ａに対して略水平となるように設けて暖房装置１の筐体２の高さ寸法を小とした。これ以外には、例えば、図１において仮想線（一点鎖線）で示すように、浴室側熱交換器と脱衣室側熱交換器とが一体の比較的平坦な形状の熱交換器２３を設けることもできる。
【００２５】
また、図２に示すように、他の実施形態の暖房装置２５においては、浴室側熱交換器１０と脱衣室側熱交換器１７との間の接続パイプ１８に、浴室側熱交換器１０への給湯を停止可能な浴室側開閉弁２６と、脱衣室側熱交換器１７への給湯を停止可能な脱衣室側開閉弁２７とを設けてもよい。この場合には、更に、浴室側吸気路７と脱衣室側吸気路１４とに、駆動モータ２８，２９によって揺動される吸気路閉塞板３０，３１を設けることが好ましい。また、浴室側給気路８と脱衣室側給気路１５とを閉塞するために、前記ルーバー１１，１９を用いてもよいが、図２に示すように、浴室側給気路８と脱衣室側給気路１５とに駆動モータ３２，３３によって揺動される給気路閉塞板３４，３５を設けてもよい。なお、図２において図１と同じ符号を付されたものについては、既に説明したものと同一であるためその説明を省略する。
【００２６】
そして、脱衣室Ｃの暖房のみが必要なときは、浴室側開閉弁２６を閉弁して浴室側熱交換器１０への給湯を停止すると共に浴室側吸気路７及び浴室側給気路８の閉塞板３０，３４を閉じる。同時に、脱衣室側開閉弁２７を開弁して脱衣室側熱交換器１７への給湯のみを行うと共に脱衣室側吸気路１４及び脱衣室側給気路１５の閉塞板３１，３５を開く。また、浴室Ｂの暖房のみが必要なときは、脱衣室側開閉弁２７を閉弁して脱衣室側熱交換器１７への給湯を停止すると共に脱衣室側吸気路１４及び脱衣室側給気路１５の閉塞板３１，３５を閉じる。同時に、浴室側開閉弁２６を開弁して浴室側熱交換器１０への給湯のみを行うと共に浴室側吸気路７及び浴室側給気路８の閉塞板３０，３４を開く。こうすることによって、暖房が必要な部屋に対応する熱交換器１０又は１７にのみ給湯を行なえばよいので、効率の良い暖房を行なうことができる。
【００２７】
なお、前述の実施形態においては、本発明の加熱手段として熱湯を熱媒とする熱交換器を採用したが、それに限るものではなく、例えば、図示しないが、この種の熱交換器に替えて電熱式のヒータ等を採用してもい。
【００２８】
また、前述の実施形態においては、ファン２０を浴室暖房部３と脱衣室暖房部４との間に設けた構成を示したが、それに限るものではなく、例えば、図示しないが、浴室側給気路８と脱衣室側給気路１５との夫々に一対のファンを配設してもよい。
【００２９】
更にまた、前述の実施形態の暖房装置１，２５においては、隔壁Ａを介して互いに隣り合う浴室Ｂと脱衣室Ｃとに設置した例を挙げたが、本発明の暖房装置は浴室Ｂと脱衣室Ｃと以外にも、互いに隣り合う他の２つの部屋の隔壁に容易に設置することができることはもちろんである。
【図面の簡単な説明】
【図１】図１は本実施形態の暖房装置を示す説明的縦断面図。
【図２】図２は他の実施形態の暖房装置を示す説明的縦断面図。
【符号の説明】
Ａ…隔壁、Ｂ…浴室（一方の部屋）、Ｃ…脱衣室（他方の部屋）、１，２５…暖房装置、３…浴室暖房部（第１暖房部）、４…脱衣室暖房部（第２暖房部）、５…浴室側吸込み口（第１吸込み口）、６…浴室側吹出し口（第１吹出し口）、１０…浴室側熱交換器（第１加熱手段）、１１…浴室側ルーバー（第１閉塞手段）、１２…脱衣室側吸込み口（第２吸込み口）、１３…脱衣室側吹出し口（第２吹出し口）、１７…脱衣室側熱交換器（第２加熱手段）、１９…脱衣室側ルーバー（第２閉塞手段）、２０…ファン。
【図１】
0003730577.tif 000002
【図２】
0003730577.tif 000003